(57)【要約】【課題】タクシー会社の経済的負担を軽減しうる運行管理システムとそれに用いる領収証発行器を提供することにある。【解決手段】タクシーの乗車料金領収証を発行する領収証発行器において、料金データ及び車両運行情報を記憶する記憶手段と、入力指令に基づいて所定の料金データ及び／又は所定期間の運行情報を記憶手段から抽出する抽出手段と、抽出された運行情報を二次元コード化する変換手段と、抽出された料金データ及び／又はコード化された運行情報を印刷する印刷手段とを備えることを特徴とし、必要により、抽出された前記運行情報を二次元コード化する前に暗号化する暗号化手段を更に備える。【選択図】図１
2006113770.tif 000002
【特許請求の範囲】
【請求項１】
タクシーの乗車料金領収証を発行する領収証発行器において、
料金データ及び車両運行情報を記憶する記憶手段と、
入力指令に基づいて所定の料金データ及び／又は所定期間の運行情報を記憶手段から抽出する抽出手段と、
抽出された運行情報を二次元コード化する変換手段と、
抽出された料金データ及び／又はコード化された運行情報を印刷する印刷手段とを備えることを特徴とする領収証発行器。
【請求項２】
抽出された前記運行情報を二次元コード化する前に暗号化する暗号化手段を更に備える請求項１に記載の領収証発行器。
【請求項３】
請求項１又は２に記載の領収証発行器と、
印刷された運行情報を読み取るリーダーとを備えることを特徴とするタクシーの運行管理システム。
【発明の詳細な説明】
【技術分野】
【０００１】
この発明は、タクシーの領収証発行器及びこれを用いた運行管理システムに属する。
【背景技術】
【０００２】
多くのタクシー会社は、売り上げの集計及び乗務員の労務管理のため、タクシーメータにて算出される運賃等の料金データの他、走行距離、停車時間、乗車距離などの運行情報をタクシー内の記憶装置に記録させ、これを営業所や本社の事務部門で収集している。記憶装置は、一般にタクシーメータに内蔵されているか又は領収証発行器などの外部の管理装置と一体化されている。
従来、記録された運行情報は、各乗務員に発行されたメモリーカードなどの可搬型の記録媒体を介して営業所内のデータ収集装置で収集され、ホストコンピュータに集約されていた。従って、個々のタクシーがタクシーメータや領収証発行器などにメモリーカードの入出力インターフェースを備え、またデータ収集装置がカードリーダーを備えていた。
【発明の開示】
【発明が解決しようとする課題】
【０００３】
しかし、上記従来の運行情報収集手段の場合、入出力インターフェースが占有する分、タクシー内の利用空間を狭めていた。また、従業員のほとんどが乗務員であって企業規模の割に従業員数が多く車両数も多いタクシー会社にとって、大量のメモリーカードを発行し、また大量のカード用入出力インターフェース付き装置を車載しなければならず、負担が大きかった。更にまた、営業所当たりの台数が少ない小規模法人の場合、高価なカードリーダ付きデータ収集装置の導入によっても負担が増していた。
それ故、この発明の課題は、タクシー会社の経済的負担を軽減しうる運行管理システムとそれに用いる領収証発行器を提供することにある。
【課題を解決するための手段】
【０００４】
上記課題を解決するために、この発明の領収証発行器は、
タクシーの乗車料金領収証を発行する領収証発行器において、
料金データ及び車両運行情報を記憶する記憶手段と、
入力指令に基づいて所定の料金データ及び／又は所定期間の運行情報を記憶手段から抽出する抽出手段と、
抽出された運行情報を二次元コード化する変換手段と、
抽出された料金データ又はコード化された運行情報を印刷する印刷手段とを備えることを特徴とする。
【０００５】
この発明によれば、元々印刷手段を備えている領収証発行器で運行情報を印刷するので、カード用入出力インターフェースのような部材を取り付ける必要はない。従って、装置は安価であり且つ小型である。また、印刷された運行情報はＱＲコードのような二次元コードに変換されているので、汎用のコードリーダーで読み取り、電子化することができる。
従って、上記課題を解決する運行管理システムは、この発明の領収証発行器と、印刷された運行情報を読み取るリーダーとを備えることを特徴とする。
この発明の領収証発行器において、抽出された前記運行情報を二次元コード化する前に暗号化する暗号化手段を更に備えると好ましい。これにより取り引き金額などの企業秘密の漏洩が防止されるからである。尚、この場合、リーダーもしくはその後方のホストコンピュータ側に復号化手段が備えられる。
【発明の効果】
【０００６】
装置が安価であり、しかもリーダーが汎用品で足りるので、タクシー会社の経済的負担が軽くてすむ。
【発明を実施するための最良の形態】
【０００７】
図１はこの発明の実施形態に係る領収証発行器の構成図、図２はその領収証発行器の動作順序を示すフロー図である。
領収証発行器１は、ＣＰＵを含む主制御部２と、主制御部２に接続された記憶装置３、２４時間クロック４、操作部５及び印刷部６を備える。記憶装置３は、ハードディスク、フラッシュメモリー、光ディスク等からなり更新可能である。操作部５は、ボタン、スイッチ等からなり、電源ＯＮ／ＯＦＦのほか、証書発行か報告書発行か、さらには証書の内容が領収か未収かの選択が可能であり、これにより発行器１の動作が開始される。印刷部６には感熱ロール紙が収納されており、排紙口にカッターが形成されている。
【０００８】
記憶装置３には、ＯＳ（オペレーティングシステム）などの制御プログラムの他、操作部５からの指令が何であるかを判定する判定プログラム３１、指令に従って料金データ及び／又は運行情報を抽出する抽出プログラム３２、暗号化プログラム３３、ＱＲコードへの変換プログラム３４及び印刷部６を駆動させる印刷ドライバ３５が格納されている。また、記憶装置３は、必要なデータを記憶するための空き領域３６を十分に有している。
主制御部２は、通信インターフェイス７を介して図略のタクシーメータと常時通信状態で接続されており、タクシーメータから一定間隔で又は主制御部２による指令に基づき送出される料金データや運行情報を受け入れ、記憶装置３の空き領域３６に記録する。
【０００９】
発行器１は、電源ＯＮにより、証書発行か報告書発行かの指令を待機している状態となり（Ｓ１）、操作部５で証書発行ボタンを押すと主制御部２が証書発行指令を判定プログラム３１及び抽出プログラム３２に送る。この指令に基づいて抽出プログラム３２は、記憶装置３から最新の料金データを抽出する（Ｓ２）。同時に判定プログラム３１は証書発行であると判定し、領収か未収かの待機状態となる（Ｓ３）。続いて操作部５で領収ボタンを押すと判定プログラム３１が領収書発行であると判定する。そして、主制御部２が抽出結果を印刷ドライバ３５に出力して印刷部６に図３のような領収証を印刷させる（Ｓ３１）。前記領収ボタンに代えて未収ボタンを押すと未収証が印刷される（Ｓ３２）。いずれにしても発行器１は、再び証書発行か報告書発行かの指令を待機している状態に戻る。
【００１０】
一方、報告書発行ボタンを押すと主制御部２が報告書発行指令を判定プログラム３１に送る。判定プログラム３１は報告書発行であると判定し、主制御部２はこの判定を受けて前日の発行時から現在までの運行情報の抽出を抽出プログラム３１に指令する（Ｓ４）。続いて、抽出された運行情報を暗号化することを暗号化プログラム３３に（Ｓ５）、暗号化された運行情報をＱＲコード化することを変換プログラム３４に指令する（Ｓ６）。そして、ＱＲコード化された運行情報を印刷ドライバ３５に出力して印刷部６に図４のような日報８を印刷させる（Ｓ７）。日報８には、「日報」の文字８ａ、印刷日８ｂ、非機密事項８ｃの次にＱＲコードによる運行情報８ｄが印字されている。印刷された日報は、カッターで未印刷の感熱ロール紙から切り離され、営業所内のデータ収集装置に付設のコードリーダーで読み取られて電子化され、ホストコンピュータに送信される。
【００１１】
以上のように、この実施形態の領収証発行器によれば、日報が領収証や未収証などの証書と同様に感熱ロール紙に印刷されるので、記憶装置３内の各種プログラムを証書発行専用から報告書発行との兼用に変えるだけで日報を作成することができる。従って、ＣＰＵの能力や記憶装置３の容量が不足しない限り、既存の発行器を利用することもできるし、新機種に取り替えるにしても低コストですむ。また、日報に印刷された運行情報はＱＲコード化されているので、汎用のコードリーダーで電子化することが可能である。
【図面の簡単な説明】
【００１２】
【図１】実施形態の領収証発行器を示す構成図である。
【図２】上記領収証発行器の動作順序を示すフロー図である。
【図３】領収証の平面図である。
【図４】日報の平面図である。
【符号の説明】
【００１３】
１  領収証発行器
２  主制御部
３  記憶装置
４  クロック
５  操作部
６  印刷部
７  通信インターフェイス
８  日報
【図１】
2006113770.tif 000003
【図２】
2006113770.tif 000004
【図３】
2006113770.tif 000005
【図４】
2006113770.tif 000006